(57)【要約】【課題】乗りかご内の映像を撮影するカメラを悪戯または盗難した者を確実に捕らえることができるエレベータの防犯カメラ装置の提供。【解決手段】カメラ６に物体が近づいたことを検知する物体検出器７と，カメラ６からの映像信号が途切れたことを検出する映像信号検出器８と、これらの検出器７，８からの信号に基づいてカメラ６の異常を検出する異常検出部１３と、異常を外部に通報する外部通報部１５と，かごドア４を閉じてエレベータ運転を無効とする制御指令を出力するエレベータ制御指令部１４とを備えた。これにより、カメラ６を悪戯をした人または盗人を乗りかご１に閉じ込めることができる。【選択図】　　　　図１
2004051269.tif 000002
【特許請求の範囲】
【請求項１】
エレベータ乗りかごに，この乗りかご内の映像を撮影するカメラを備えたエレベータの防犯カメラ装置において，
前記カメラに物体が近づいたことを検知する物体検知器と，前記カメラを監視する監視部と，これらの物体検知器および監視部から出力される信号に基づいて前記カメラが異常であることを検出する異常検出部と、前記異常を公衆回線を介して外部に通報する外部通報部と，前記異常を検出した場合に前記乗りかごのドアを閉じてエレベータの運転を無効とする制御指令を出力するエレベータ制御指令部とを備えたことを特徴とするエレベータの防犯カメラ装置。
【請求項２】
請求項１記載の防犯カメラ装置において，前記監視部を、前記カメラから出力される映像信号が途切れたことを検出する映像信号検出器から構成したことを特徴とするエレベータの防犯カメラ装置。
【請求項３】
請求項１記載の防犯カメラ装置において，前記監視部を、前記カメラを覆うカバーに物体が触れたことを検知する振動検出器から構成したことを特徴とするエレベータの防犯カメラ装置。
【請求項４】
請求項１記載の防犯カメラ装置において，前記監視部を、前記カメラからの映像信号が変化しないことを検知する映像変化検出器から構成したことを特徴とするエレベータの防犯カメラ装置。
【発明の詳細な説明】
【０００１】
【発明の属する技術分野】
本発明は，乗りかご内の映像を撮影するカメラを備えたエレベータの防犯カメラ装置に関する。
【０００２】
【従来の技術】
従来，例えば特開２００１−３０２１３１号に記載されているように，乗りかご内の映像を撮影するカメラのカバーを開けようとすると，乗りかご内の照明を消灯したりかごドアを開けることにより，前記のカメラに対する悪戯または盗品等の行為を中止させるようにしたエレベータの防犯カメラ装置が提案されている。
【０００３】
【発明が解決しようとする課題】
ところで、上述した従来のエレベータの防犯カメラ装置では，乗りかご内の照明を消灯したりかごドアを開けることにより，乗りかご内の映像を撮影するカメラに対する悪戯または盗難を抑制するようになっているが，それにもかかわらずにカメラの悪戯または盗難が発生した場合にその後の対応に関しては言及されていない。
【０００４】
本発明は上記のような従来技術における実情に鑑みてなされたもので、その目的は，乗りかご内の映像を撮影するカメラを悪戯をした人または盗人を確実に捕らえることのできるエレベータの防犯カメラ装置を提供することにある。
【０００５】
【課題を解決するための手段】
上記目的を達成するため，本発明の請求項１に係る発明は、エレベータ乗りかごに，この乗りかご内の映像を撮影するカメラを備えたエレベータの防犯カメラ装置において，前記カメラに物体が近づいたことを検知する物体検知器と，前記カメラを監視する監視部と，これらの物体検知器および監視部から出力される信号に基づいて前記カメラが異常であることを検出する異常検出部と、前記異常を公衆回線を介して外部に通報する外部通報部と，前記異常を検出した場合に前記乗りかごのドアを閉じてエレベータの運転を無効とする制御指令を出力するエレベータ制御指令部とを備えた構成にしてある。
【０００６】
このように構成した本発明の請求項１に係る発明では、乗りかご内の映像を撮影するカメラを悪戯または盗難しようとして接近する人を物体検知器により検知するとともに、前記のカメラを監視部により監視し、これらの検知手段および監視部から出力される信号に基づいて異常検出部によりカメラが異常であること、すなわちカメラが悪戯または盗品されたことを検出する。次いで、このようなカメラの異常発生を外部通報部より公衆回線を介して外部に通報するとともに、乗りかごのドアを閉じてエレベータ運転を無効とする制御指令を出力する。これにより、乗りかご内の映像を撮影するカメラを悪戯または盗人を確実に捕らえることができる。
【０００７】
また、本発明の請求項２に係る発明は、請求項１に係る発明において，前記監視部を、前記カメラから出力される映像信号が途切れたことを検出する映像信号検出器から構成してある。
【０００８】
このように構成した本発明の請求項２に係る発明では、乗りかご内の映像を撮影するカメラに人が接近したことを検知した後、カメラからの映像信号が所定時間内に途切れたことを映像信号検出器で検出した場合に、前記のカメラが悪戯または盗品されたと判定する。
【０００９】
また、本発明の請求項３に係る発明は、請求項１に係る発明において，前記監視部を、前記カメラを覆うカバーに物体が触れたことを検出する振動検出器から構成してある。
【００１０】
このように構成した本発明の請求項３に係る発明では、乗りかご内の映像を撮影するカメラに人が接近したことを検知した後、所定時間内にカメラを覆うカバーに人が触れたことを振動検出器で検出した場合に、前記のカメラが悪戯または盗品されたと判定する。
【００１１】
また、本発明の請求項４に係る発明は、請求項１に係る発明において，前記監視部を、前記カメラからの映像信号が所定時間以上変化しないことを検出する映像変化検出器から構成してある。
【００１２】
このように構成した本発明の請求項４に係る発明では、乗りかご内の映像を撮影するカメラに人が接近したことを検知した後、所定時間内にカメラからの映像信号が変化しないことを映像変化検出器で検出した場合に、前記のカメラが悪戯または盗難されたと判定する。
【００１３】
【発明の実施の形態】
以下，本発明のエレベータの防犯カメラ装置の実施の形態を図に基づいて説明する。
【００１４】
図１は本発明の第１の実施形態に係るエレベータの防犯カメラ装置を示すブロック図，図２は本実施形態に設けられる異常検出通報手段の内部構成を示す説明図である。
【００１５】
図１に示すエレベータは、乗りかご１と，エレベータ制御を行なうエレベータ制御盤２と有している。このエレベータ制御盤２には、運転制御部２ａが設けられ、乗りかご１の上部には、運転制御部２ａに通信線３を介して接続され、かごドア４を開閉制御するかごドア制御部５が設けられている。
【００１６】
本実施形態の防犯カメラ装置は、乗りかご１内に設置され、この乗りかご１内の映像を撮影するカメラ６と，このカメラ６の近傍に配置され、カメラ６に物体が近づいたことを検知する物体検知器７と、図示しないエレベータ機械室または昇降路内に設置され、カメラ６からの映像信号を監視し、カメラ６から出力される映像信号が途切れたことを検出する映像信号検出器８と、この映像信号検知器８に接続され、カメラ６より出力された乗りかご１内の映像を記録する映像記録部９と、映像信号検知器８および物体検知器７に接続される異常検出通報手段１０とからなっている。
【００１７】
この異常検出通報手段１０は，エレベータ制御盤２の運転制御部２ａに通信線１１を介して接続されるとともに、外部の図示しない監視センタなどに公衆回線１２を介して接続されている。また、異常検出通報手段１０は，図２に示すように，物体検知器７および映像信号検知器８から出力される信号に基づいてカメラ６が異常であること、すなわちカメラ６が悪戯または盗品されたことを検出する異常検出部１３と、この異常検出部１３で異常が検出されると，かごドア４の開閉制御指令と乗りかご１の運転制御指令を出力するエレベータ制御指令部１４と，これらの異常検出部１３およびエレベータ制御指令部１４に接続され、異常を検出した場合にその異常を公衆回線１２を介して外部に通報する外部通報部１５とを備えている。
【００１８】
この第１の実施形態にあっては、図２に示す処理手順にしたがって乗りかご１内のカメラ６に対する悪戯または盗難行為を検出するようになっている。すなわち、乗りかご１内のカメラ６を悪戯または盗品しようとして人がカメラ６に接近すると、手順Ｓ１として、この人の接近を物体検出器７より検出して異常検出通報手段１０に通知し、この異常検出通報手段１０内の異常検出部１３ではその通知時間をｔ１として記憶する。その後、カメラ６が悪戯または盗品のため取り外されるとカメラ６から映像信号が途切れるので、この映像信号が途切れたことを映像信号検出器８より異常検出通報手段１０に通知し、異常検出部１３ではその通知時間をｔ２として記憶する。次いで手順Ｓ２、手順Ｓ３として、異常検出部１３は前記の通知時刻ｔ１から通知時刻ｔ２までの時間Δｔを求めて（ｔ１＜ｔ２で，かつｔ２−ｔ１＝Δｔ）予め設定された時間Ｔｉと比較し，求めた時間Δｔ≦所定時限Ｔｉであった場合に、手順Ｓ４として、カメラ６の異常発生と判断する。一方、手順Ｓ２で前記の通知時刻ｔ１が通知時刻ｔ２より大でない場合、また、手順Ｓ３で時間Δｔが所定時限Ｔｉより小である場合、手順Ｓ５としてカメラ６の異常なしと判断する。
【００１９】
次いで、上記のように手順Ｓ４でカメラ６の異常発生と判断すると，異常検出部１３は外部通報部１５に異常発生を外部へ通報するよう指示し、外部通報部１５は予め設定された所定の場所へ上記の異常発生を通報する。また，異常検出部１３はエレベータ制御指令部１４にエレベータ制御を指示して、エレベータ制御指令部１４より運転制御部２ａへ異常発生の通知とエレベータ制御指令を通知する。次いで、運転制御部２ａはエレベータ運転の停止指令とかごドア４の制御指令を出力し、これらの指令に基づいて運転制御部２ａの制御で乗りかご１を停止させて、かごドア制御部５でかごドア４を閉じた後，このかごドア４を開ける制御を無効にする。
【００２０】
このように構成した第１の実施形態では、乗りかご１内のカメラ６を悪戯または盗もうとしてカメラ６に人が接近した後、このカメラ６から映像信号が所定時間内に途切れた場合に乗りかご１内の人を閉じ込めて外部へ通報するようになっているので、乗りかご１内のカメラ６を悪戯または盗んだ者を確実に捕らえることができる。
【００２１】
なお、上記実施形態では、カメラ６から出力される映像信号が途切れたことを検出する映像信号検出器８によって、カメラ６を監視する監視部が構成されている。
【００２２】
図３は本発明の第２の実施形態に係るエレベータの防犯カメラ装置を示すブロック図である。なお、図３において前述した図１、図２に示すものと同等のものには同一符号を付してある。
【００２３】
図３に示す本実施形態は、前述した図１、図２に示すものと比べて、カメラ６を監視する監視部として、カメラ６を覆うカバー１６に物体が触れたことを検知する振動検知器１７とを備えたことが異なっており、その他の構成は基本的に同等である。
【００２４】
この第２の実施形態にあっては、乗りかご１内のカメラ６を悪戯または盗品しようとして人がカメラ６に接近すると、この人の接近を物体検出器７より検出して異常検出通報手段１０に通知した後，所定時間内にカバー１６に物体が触れたことを振動検知器１７により検出した場合に、カメラ６が悪戯または盗品されたと判定して外部へ通報するとともに、乗りかご１を停止させてかごドア４を閉じた後，このかごドア４を開ける制御を無効にする。
【００２５】
このように構成した第２の実施形態でも、前述した図１、図２に示すものと同様の効果がある。
【００２６】
図４は本発明の第３の実施形態に係るエレベータの防犯カメラ装置を示すブロック図である。なお、図４において前述した図１、図２、図３に示すものと同等のものには同一符号を付してある。
【００２７】
図４に示す本実施形態は、前述した図１、図２に示すものと比べて、カメラ６を監視する監視部として、カメラ６からの映像信号が変化しないことを検知する映像変化検出器１８を備えたことが異なっており、その他の構成は基本的に同等である。
【００２８】
この第３の実施形態にあっては、乗りかご１内のカメラ６に悪戯または盗もうとして人が乗りかご１内のカメラ６に接近すると、この人の接近を物体検出器７より検出して異常検出通報手段１０に通知した後，カメラ６が悪戯または盗品されてカメラ６から映像信号が所定時間内に変化しないとき、映像変化検出器１８により検知し、カメラ６が悪戯または盗品されたと判定して外部へ通報するとともに、乗りかご１を停止させてかごドア４を閉じた後，このかごドア４を開ける制御を無効にする。
【００２９】
このように構成した第３の実施形態でも、前述した図１、図２に示すものと同様な効果がある。
【００３０】
【発明の効果】
以上説明したように本発明によれば，乗かご内の映像を撮影するカメラに悪戯した人または盗人を乗りかご内に閉じ込めて確実に捕らえることできる。
【図面の簡単な説明】
【図１】本発明の第１の実施形態に係るエレベータの防犯カメラ装置を示すブロック図である。
【図２】本実施形態に設けられる異常検出通報手段の内部構成を示す説明図である。
【図３】本発明の第２の実施形態に係るエレベータの防犯カメラ装置を示すブロック図である。
【図４】本発明の第３の実施形態に係るエレベータの防犯カメラ装置を示すブロック図である。
【符号の説明】
１　乗りかご
２　エレベータ制御盤
４　かごドア
５　かごドア制御部
６　カメラ
７　物体検出器
８　映像信号検出器（監視部）
９　映像記録部
１０　異常検出通報手段
１３　異常検出部
１４　エレベータ制御指令部
１５　外部通報部
１６　カバー
１７　振動検出器（監視部）
１８　映像変化検出器（監視部）
【図１】
2004051269.tif 000003
【図２】
2004051269.tif 000004
【図３】
2004051269.tif 000005
【図４】
2004051269.tif 000006